(57)【特許請求の範囲】
【請求項１】
ホスト側の要求により、ホスト側から目的とする端末の回線にリセット信号となる単一トーンを出力し、端末側のシステムをリセット可能なネットワークと、
交換回線を介して前記ネットワークに接続され、前記交換回線を監視して前記ネットワークからの単一トーン信号を検知すると、前記リセット信号を受信し端末装置へ着信させる端末モデムとを備え、
前記ネットワークは、
前記リセット信号とリセットを行う回線を前記端末装置へ送出するホストと、
前記ホストから送出された前記リセットを行う回線を発呼し、前記リセット信号を送出するホストモデムと、
前記ホストモデムから送出された前記リセット信号となる単一トーンを前記目的とする端末の回線に出力する交換機と
を有することを特徴とするモデムのリモートリセットシステム。
【請求項２】
前記端末モデムは、
前記交換機を介して発呼された通信を監視し単一トーンのリセット要求信号を検出すると、前記端末装置へ前記リセット信号を出力するリモートリセット回路を有することを特徴とする請求項１記載のモデムのリモートリセットシステム。
【請求項３】
前記リモートリセット回路は、
前記単一トーンを検出するトーン検出回路と、
前記検出された単一トーンが他の信号でないか否かを前記単一トーンの検出時間を計ることで判断し、前記単一トーンが前記リセット要求信号であるとき前記端末装置へ前記リセット信号を出力するタイマー回路と、
を有することを特徴とする請求項２記載のモデムのリモートリセットシステム。
【請求項４】
前記単一トーンをＤＴＭＦトーンにすることを特徴とする請求項１，２または３記載のモデムのリモートリセットシステム。
【請求項５】
前記リセット信号の出力のタイミングは、前記単一トーンの検出時間を超えて、前記単一トーンが終了した後であることを特徴とする請求項２または３記載のモデムのリモートリセットシステム。
【発明の詳細な説明】
【０００１】
【発明の属する技術分野】
本発明は、ホストからのリセット要求によりリセット信号を送出することにより端末側を自動的にリセットする交換回線でのモデムのリモートリセットシステムに関する。
【０００２】
【従来の技術】
パソコン通信などの発達は、通信網を介してホストコンピュータなどと通信が頻繁に行われるようになってきている。通信が頻繁になるに伴って、情報通新機器類の障害も多く見られるようになってきている。モデム装置も例外ではなく、呼び出し音に反応しないなどの障害も少なくない。
【０００３】
そこでこの問題を解決するために従来のモデムによる制御方式の一例が、特開平７−２１２４８９号公報に記載されている。この公報に記載されたモデム制御装置は、モデムが呼出信号に応答しないとき、その障害を自動的に検出し自動的に復旧するものである。このモデム制御装置の構成は、交換網と交換モデムとの回線を分岐する分岐部と、分岐部から分岐された回線を監視し着信がある時、リンガの回数を検出することにより交換モデム側に障害があるか否かを判断する障害発生検出手段と、障害発生検出手段で障害が発生すると交換モデム側にリセットをかけ復旧するリセット手段とを備える。交換網を通して発呼者側から着信があると、モデム制御装置は、障害発生検出手段でリンガを監視する。交換モデム側に障害があるとき、モデム制御装置は、リセットをかける。これにより障害を復旧させることができる。
【０００４】
【発明が解決しようとする課題】
また従来のアナログ交換回線を利用したデータネットワークシステムが数多く利用されている。このシステムで一般的なものは「通信カラオケ」などがあげられる。
【０００５】
このシステムにはホスト側から端末側に対して、端末の異常時に端末側のシステムを初期化（リセット）要求する機能が有ることが望ましいが、現在のシステムで利用されているリモートリセットの方法は、データ通信が成立した状態でリセット要求のコマンドを送信し、この命令を受信した端末側のモデムがシステムにリセットを行うなどの方式が考えられるが、この方式は端末側のモデムが正常に機能している事が前提条件であり、システムのリセットが必要となる事態でモデムが正常に機能する保証が無い。
【０００６】
このため端末側のシステムがいかなる状態であってもホスト側の要求に応えてシステムをリセットする方法が必要となる。
【０００７】
本発明の目的は、ホスト側から端末側のリセットを要求すると交換回線を介してリセット信号を送出しリセットをかけるモデムのリモートリセットシステムを提供することにある。
【０００８】
【課題を解決するための手段】
本発明のモデムのリモートリセットシステムは、ホスト側の要求により、ホスト側から目的とする端末の回線にリセット信号となる単一トーンを出力し、端末側のシステムをリセット可能なネットワークと、交換回線を介して前記ネットワークに接続され、前記交換回線を監視して前記ネットワークからの単一トーン信号を検知すると、前記リセット信号を受信し端末装置へ着信させる端末モデムとを備え、前記ネットワークは、前記リセット信号とリセットを行う回線を前記端末装置へ送出するホストと、前記ホストから送出された前記リセットを行う回線を発呼し、前記リセット信号を送出するホストモデムと、前記ホストモデムから送出された前記リセット信号となる単一トーンを前記目的とする端末の回線に出力する交換機とを有することを特徴とする。
【０００９】
【発明の実施の形態】
本発明の実施例の構成を図１を参照して詳細に説明する。図１は、本発明の実施例のシステム構成を示す図である。図２は、本発明のリモートリセット回路を示す図である。
【００１０】
一般の交換回線を利用したデータネットワークシステムにおける端末側モデムに対して、モデムの機能とは独立したリセット要求信号の検出回路を設けた端末モデム１０と、端末モデム１０に対してホスト側からの要求により、目的とする端末の回線（電話番号）にリセット信号となる単一トーンを出力し、ホスト側からの要求により端末のシステムをリセット可能なネットワーク１２とを備える。
【００１１】
このネットワーク１２は、リセット信号とリセットをおこなう回線とを端末側へ送出するホスト１４と、リセットをおこなう回線を発呼しリセット信号を送出するホストモデム１６と、目的とする端末の回線（電話番号）にリセット信号となる単一トーンを出力する交換機１８とを有する。
【００１２】
端末モデム１０は、受信した信号をインターフェースし、接続された端末装置２０へ着信させる。
【００１３】
端末モデム１０の構成は、モデム部２２と、ＬＩＮＥ（交換回線）に接続され常時監視を行い、ホスト側からの要求により交換機１８から出力されるリセット要求信号となる単一トーン信号を検出し、その単一トーン信号がホスト側からのリセット要求信号かを判断するリモートリセット回路２４とを有する。
【００１４】
リモートリセット回路２４は、ホスト側からの要求により交換機から出力されるリセット要求信号となる単一トーン信号を検出するトーン検出回路２６と、トーン検出回路２６から入力された単一トーン信号を入力し、その単一トーン信号が、ホスト側からのリセット要求信号かを判断するため、一定時間の連続したトーンかを判断するためのタイマー回路２８とを有する。
【００１５】
従って、交換回線を利用したデータネットワークシステムを構築する場合において、本発明を適用した場合、端末側のモデムの動作に関わらず、端末側のシステムに対して、ホスト側のからリセットの要求を行うことが出来るという利点が得られる。
【００１６】
図１において、ホストモデム１６はリセット要求とリセットを要求する端末装置２０の回線（電話番号）を交換機１８に対して発呼する。ここでリセット要求の方法については任意ではあるが、例えば電話番号の後にＤＴＭＦにより＃や＊を連続して入力するなどの方法が考えられる。ホストからリセットの要求と、リセットする回線の情報を受けた交換機１８は、要求のあった回線に対してリセット要求信号として、単一トーンを一定時間出力する。
【００１７】
トーン検出回路２６は、入力側がＬＩＮＥ（交換回線）上でモデムと並列に接続される。ここで注意することは、トーン検出回路２６の入力インピータンスがＬＩＮＥの６００Ω終端に対して充分にハイインピータンスとすることである。トーン検出回路２６の設計は、０．３〜４．３ｋＨｚという周波数帯域の単一トーンを検出できる回路であればその設計は任意であるが、目的のトーンを検出している間は常にトーン検出信号をＯＮするように設計する必要がある。
【００１８】
トーン検出回路２６は、ＬＩＮＥ上の波形を常時監視し、あらかじめ定めたリセット要求信号と同じ周波数のトーンを検出した場合にトーン検出信号をＯＮし、後段のタイマー回路２８に通知する。タイマー回路２８は、トーン検出回路２６から入力されたトーン検出信号を監視し、トーン検出信号がＯＮとなった場合、あらかじめ定めた一定時間連続してＯＮ状態になった場合に端末装置に対してリセット信号を出力する。
【００１９】
次は、本発明の実施例の動作を図３を参照し詳細に説明する。図３は、本発明のリモートリセット回路の動作のタイミングチャートである。ホスト１４がリセットを行いたい端末に対してその電話番号とリセット要求の信号を交換機１８に対して発呼すると、交換機１８は要求された端末の回線に対してあらかじめ定められた周波数の単一トーンを発信する。（ａ）のＬＩＮＥ上にあらかじめ定められた周波数のトーンを検出した場合、トーン検出信号（ｂ）をＯＮする。（ｂ）のトーン検出信号がＯＮとなった場合、タイマー回路２８は、動作を開始し、あらかじめ定められた一定時間ｔの間連続してトーン検出信号がＯＮである場合に端末装置２０に対してリセット信号を出力する。端末装置２０は、タイマー回路２８から入力されるリセット信号により端末装置自身のリセットを行い、システムの初期化が完了する。
【００２０】
次に、本発明の他の実施例を説明する。基本構成は、上述の通りであるが、交換機１８が出力するリセット要求信号を単一トーンに替えて、ＤＴＭＦトーンの０〜９，Ａ〜Ｄ，＃，＊の１６種類のうちのいずれかに設定する方法も考えられる。ＤＴＭＦトーンの周波数をリセット要求信号に使用すれば、トーン検出回路２６に市販のＤＴＭＦ検出用ＩＣを利用することが可能であり、より安価で回路を構成することが可能となる。
【００２１】
【発明の効果】
本発明のモデムのリモートリセットシステムは、交換回線を利用したデータネットワークシステムにおいて、端末側のシステムをホスト側からリセットすることが可能となる。これはデータネットワーク上において端末装置が無人の状態が多い現状において、メンテナンス性の向上につながり、更にネットワークの稼働率の向上に貢献できる。
【００２２】
さらにこのシステムにおいては、端末モデムにリモートリセット回路を設けることにより端末側のモデムの動作に関わらず、端末側のシステムに対して、ホスト側のからリセットの要求を行うことができるという利点が得られる。
【図面の簡単な説明】
【図１】本発明の実施例のシステム構成を示す図である。
【図２】本発明のリモートリセット回路を示す図である。
【図３】本発明のリモートリセット回路の動作のタイミングチャートである。
【符号の説明】
１０  端末モデム
１２  ネットワーク
１４  ホスト
１６  ホストモデム
１８  交換機
２０  端末装置
２２  モデム部
２４  リモートリセット回路
２６  トーン検出回路
２８  タイマー回路
【図１】
0003542925.tif 000002
【図２】
0003542925.tif 000003
【図３】
0003542925.tif 000004